【事件の表示】
　特許第２８６３８８９号「食器洗浄機」の特許に対する特許異議の申立てについて、次のとおり決定する。
【結　論】
　訂正を認める。
　特許第２８６３８８９号の特許を維持する。
【理　由】
１．手続の経緯
　特許第2863889号に係る発明についての出願は、平成５年12月28日に特許出願され、平成10年12月18日にその発明について特許の設定登録され、その後、その特許について、異議申立人株式会社東芝により特許異議の申立てがなされ、取り消し理由通知がなされ、その指定期間内である、平成12年１月6日に訂正請求がなされたものである。
２．訂正の適否についての判断
ア．訂正明細書に係る発明
　訂正明細書に係る発明は、その特許請求の範囲に記載された次の事項により特定されるとおりのものである。
「【請求項１】前方開放の洗浄室（２）の底部に設けた貯留部（23）と、該貯留部（23）の下方に連設された濾過装置収容室（７）内に収容され、底壁に開部(710c)が設けられた比較的扁平な第１フィルター（710）と前記開部（710c）に挿入し得る外径を有し、且つ前記開部（710ｃ）の周縁部に上方から係合する係合片（711d)を具備する筒状の第２フィルター（711）とを含む濾過装置（70）と、上記貯留部（23）の上方における洗浄室（２）内に収容されたラック（４）とを具備させ、上記貯留部（23）内に貯留させた洗浄水を濾過装置収容室（７）内の濾過装置（70）を通過させてラック（４）内の被洗浄物に噴出させた後、貯留部（23）に帰還させる形式の食器洗浄機において、ラック（４）を、その前面側下部を斜めに切り欠いた形状とし、この切り欠かれたラック（４）の部分と洗浄室（２）の開口周縁部との間隔を濾過装置（70）の深さ方向長さより大きくし、洗浄室（２）内にラック（４）を収容した状態で濾過装置（70）が濾過装置収容室（７）内に着脱できる程度に設定し、前記第２フィルター（711）は筒状の枠体（711b）の内部にスクリーン（711c）を着装して前記枠体（711b）の外面とスクリーン（711c）の外面との間に段差（711e）が設けられた食器洗浄機。」
イ．訂正の目的の適否、新規事項の有無及び拡張・変更の存否
　特許権者が求めている訂正の内容は以下のとおりである。
ａ．特許請求の範囲に「その前面側下部を切り欠いた形状とし、」とあるのを「その前面側下部を斜めに切り欠いた形状とし、」と訂正した。
ｂ．特許請求の範囲に「濾過装置収容室（７）に着脱できる程度に設定した」とあるのを「濾過装置収容室（７）内に着脱できる程度に設定し、前記第２フィルター（711）は筒状の枠体（711ｂ）の内部にスクリーン（711ｃ）を装着して前記枠体（711ｂ）の外面とスクリーン（711ｃ）の外面との間に段差（711ｅ）が設けられた」と訂正した。
ｃ．【0009】に「『ラック（４）を、その前面側下部を切り欠いた形状とし、この切り欠かれたラック（４）の部分と洗浄室（２）の開口周縁部との間隔を濾過装置（70）の深さ方向長さより大きくし、洗浄室（２）内にラック（４）を収容した状態で濾過装置（70）が濾過装置収容室（７）内に着脱できる程度に設定した』ことである。」とあるのを、「『ラック（４）を、その前面側下部を斜めに切り欠いた形状とし、この切り欠かれたラック（４）の部分と洗浄室（２）の開口周縁部との間隔を濾過装置（70）の深さ方向長さより大きくし、洗浄室（２）内にラック（４）を収容した状態で濾過装置（70）が濾過装置収容室（７）内に着脱できる程度に設定し、前記第２フィルター（711）は筒状の枠体（711ｂ）の内部にスクリーン（711ｃ）を装着して前記枠体（711ｂ）の外面とスクリーン（711ｃ）の外面との間に段差（711ｅ）が設けられた』ことである。」と訂正した。
ｄ．【0011】に「清掃作業がし易くなる。」とあるのを、「清掃作業がし易くなる。
第２フィルター（711）に捕集された残滓はスクリーン（711ｃ）の外面全域に付着しているが、枠体（711ｂ）とスクリーン（711ｃ）との間には段差（711ｅ）が設けられていることから、該残滓は、前記段差（711ｅ）の部分に入り込んだ態様でスクリーン（711ｃ）面に付着するととなり、第２フィルター（711）を第１フィルター（710）から取り外す際に、該残滓が第１フィルター（710）の開部（710ｃ）周縁部に削ぎ落とされる不都合は生じない。」と訂正した。
ｅ．図１を別紙の１図に訂正した（Ｒの指示位置を訂正した。）。
　上記ａの訂正事項に関連する記載として願書に添付した明細書（以下「特許明細書」という。）の発明の詳細な説明には「下方のラック（４）は、図１に示すように、上方のラック（４）と同様に全体形状が矩形籠状に形成されているが、切欠部（Ｒ）を具備している。即ち、該ラック（４）の前面から下面にかけて斜め方向に切り欠かれた態様（本実施例では、当該切欠きの大きさは、高さ方向の寸法が６cm、奥行き寸法が7．5cmに設定されている）となっている」（【0019】段落）ことが第１，６図と共に記載されており、「ラック（４）を、その前面側下部を切り欠いた形状」として「ラック（４）を、その前面側下部を斜めに切り欠いた形状」を用いてなる発明は特許明細書に記載されているものと認められる。
　そうすると、上記ａの訂正は、特許明細書に記載された事項の範囲内において、ラック前面側下部の切り欠き部の形状を限定したものといえ、特許請求の範囲の減縮に該当するものであって、新規事項の追加に該当せず、また、実質上特許請求の範囲を拡張し、又は変更するものでもない。
　上記ｂの訂正事項に関連する記載として特許明細書の詳細な説明には「前記第２フィルター（711）は、ポロプロピレン樹脂製の筒状の枠体（711b）の内部に、直径0．2mm程度の小孔が無数に穿設されたステンレス製のスクリーン（711c）を装着した構成であり、前記枠体（711b）の上端外周には、上記第１フィルター（710）の開部（710c）の周縁部に係合する係合片（711d）が周設されて手いる。尚、前記枠体（711b）の外面とスクリーン（711c）の外面には、段差（711e）が設けられている（図５参照）。」（【0023】段落）ことが第２，４，５図と共に記載されており、「第２フィルター」として「筒状の枠体（711b）の内部にスクリーン（711c）を装着して前記枠体（711b）の外周面とスクリーン（711ｂ）の外周面との間に段差（711e）が設けられた」ものを用いてなる発明は特許明細書に記載されているものと認められる。
　そうすると、上記ｂの訂正は、特許明細書に記載された事項の範囲内において、第２フィルターの構造を限定したものといえ、特許請求の範囲の減縮に該当するものであって、新規事項の追加に該当せず、また、実質上特許請求の範囲を拡張し、又は変更するものでもない。
　また、上記ｃの訂正は、特許請求の範囲の記載と発明の詳細な説明の記載との整合性を図るため、明瞭でない記載の釈明を目的とする訂正であって、新規事項の追加に該当せず、また、実質上特許請求の範囲を拡張し、又は変更するものでもない。
　上記ｄの訂正事項に関連する記載として特許明細書の詳細な説明には「上記したように、第２フィルター（711）に捕集された残滓はスクリーン（711c）の外面全域に付着しているが、枠体（711ｂ）とスクリーン（711c）との間には段差（711e）が設けられていることから、該残滓は、前記段差（711e）の部分に入り込んだ態様でスクリーン（711c）面に付着するととなり、第２フィルター(711)を第１フィルター（710）から取り外す際に、該残滓が第１フィルター（710）の開部（710c）周縁部にそぎ落とされる不都合は生じない。」（【0031】段落）ことが記載されている。
　そうすると、上記ｄの訂正は、発明の詳細な説明の欄の効果の記載に、特許明細書に記載された事項の範囲内において、上記ｂの限定に対応する効果を追加したものであり、特許請求の範囲と発明の整合性を図るため明瞭でない記載の釈明を目的とする訂正であって、新規事項の追加に該当せず、また、実質上特許請求の範囲を拡張し、又は変更するものでもない。
　上記ｅの訂正事項に関する記載として特許明細書の詳細な説明には「下方のラック（４）は、図１に示すように、上方のラック（４）と同様に全体形状が矩形籠状に形成されているが、切欠部（Ｒ）を具備している。すなわち、該ラック（４）の前面から下面にかけて斜め方向に切り欠かれた態様（本実施例では、当該切欠きの大きさは、高さ方向の寸法が６cm、奥行き寸法が7．5cmに設定されている）となっている」（【0019】段落）ことが第１，６図と共に記載されており、また、Ｒの指示位置がラック（４）の左下斜辺部である第６図が、制御装置（Ｃ）を構成として表示したものであって第１図同様本発明の実施例を説明するものであるので、第１図のＲの指示位置は誤記であると認める。　そうすると、上記ｅの訂正は、誤記の訂正であって、新規事項の追加に該当せず、また、実質上特許請求の範囲を拡張し、又は変更するものでもない。
ウ．独立特許要件
（引用刊行物）
　明細書の請求項１に係る発明に対して、当審が平成11年10月28日付けで通知した取消理由で引用した刊行物１（実願昭62-58103号（実開昭63−163762号）のマイクロフィルム）には、「前面に開口部を有する洗浄庫と、・・・と食器を載置して前記洗浄庫内へ出し入れする食器かごと、食器に洗浄水を噴射する洗浄ノズルと、・・・前記洗浄庫底部に着脱自在に配設されて洗浄水中の残菜を濾別する残菜フィルターとをを備え」（実用新案登録請求の範囲）たこと、「そのレール15の下方には、食器に洗浄水を噴出する洗浄ノズル16とその洗浄ノズル16に洗浄水を圧送するポンプ装置17が配設され」（第５頁第14〜17行目）たこと、「上記の食器洗い機においては、洗浄庫11の内部のレール15の上に載せる食器かご13の前側底部13ａが、後方へ所定長さ範囲にわたって浅く、すなわち底上げして形成されているので、・・・残菜フィルター18を、その把手20を持って極めて容易に着脱することができ」（第６頁第６〜15行目）ること、「なお、前記食器かご13の前側底部13ａの底上げの高さ、及び後方への長さは、残菜フィルター18を容易に着脱し得る範囲で適宜決定すればよ（い）」（第６頁第19行目〜第７頁第１行目）ことが記載されており、
　また、刊行物２（特開平4−297217号公報）には「６は洗浄タンク２底部に傾斜配置され洗浄水中に含まれる残菜７を捕集する残菜フィルタ、・・・９は残菜かご８を包囲して配置されたフィルタである」（第２頁左欄第20〜24行目）と記載されてある。
（対比・判断）
　訂正明細書に係る発明（以下、「本件発明」という。）と刊行物１，２のいずれにも本件発明を特定するための事項である、「第２フィルター（711）は筒状の枠体（711b）の内部にスクリーン（711c）を装着して前記枠体（711b）の外面とスクリーン（711c）の外面との間に段差（711e）が設けられた」点が記載されていない。そして、当該事項により、本件発明の特許は、「第２フィルター（711）に捕集された残滓はスクリーン（711c）の外面全域に付着しているが、枠体（711b）とスクリーン（711c）との間には段差（711e）が設けられていることから、該残滓は、前記段差（711e）の部分に入り込んだ態様でスクリーン（711c）面に付着するととなり、第２フィルター（711）を第１フィルター（710）から取り外す際に、該残滓が第１フィルター（710）の開部（710c）周縁部にそぎ落とされる不都合は生じない。」という顕著な効果を奏するものであり、本件発明は、上記刊行物１，２記載のものから当業者が容易に発明をすることができたものではない。
　したがって、本件発明は特許出願の際独立して特許を受けることができるものである。
エ．むすび
　以上のとおりであるから、上記訂正は特許法第１２０条の４第２項および同条第３項で準用する同法第１２６条第２〜４項の規定に適合するので、当該訂正を認める。
３．特許異議申し立てについての判断
ア．申立ての理由の概要
　特許異議申立人株式会社東芝は、平成11年8月20日付の特許異議申立てにおいて、証拠として甲第１号証特開平4-297217号公報、甲第２号証実開昭63-163762号全文明細書、甲第３号証実開平1-127558号全文明細書を提出し、
「本件特許発明の請求項１については、・・・、甲１号証乃至項３号証に記載された発明・考案の記載に基づいてその発明の属する技術分野における通常の知識を有する者が容易に発明をすることが出来たものであるから、当該特許に係る発明は特許法29条第２項の規定により特許を受けることができないものであ（る）」旨主張する。
イ．甲号各証記載の発明
　甲第１，２号証には、上記２．ウで述べたとおりの事項が記載されている（刊行物１，刊行物２が甲第２号証、甲第１号証にそれぞれ相当する）。　甲第３号証には洗浄機用食器かごに関して、
第１〜５図と共に、「第１〜５図において、食器かごは、洗浄槽（図示せず）内に配設され、この洗浄槽底部の洗浄ノズルを介して洗浄ポンプからの吐出水が噴射される主食器かご１からな（る）」（第４頁第４〜８行）ことが記載されている。
ウ．当審の判断
　本件発明は、上記２．ウで示したように、取消理由通知で示した刊行物に記載された発明から容易に発明をすることができたものとすることはできない。
　また、甲第３号証にも本件発明を特定するための事項である、「第２フィルター（711）は筒状の枠体（711b）の内部にスクリーン（711c）を着装して前記枠体（711b）の外周面とスクリーン（711ｂ）の外周面との間に段差（711e）が設けられた点は記載されてもおらず、他に本件発明の特許を取り消すべき理由をも発見しない。
エ．むすび
　以上のとおりであるから、特許異議申立の理由及び証拠によっては、本件発明の特許を取り消すことができない。
　また、他に本件発明の特許を取り消すべき理由を発見しない。
　よって、結論のとおり決定する。
【異議決定日】
平成１２年５月２５日（２０００．５．２５）
【訂正の要旨】
訂正の要旨
１．特許請求の範囲に「その前面側下部を切り欠いた形状とし、」とあるのを「その前面側下部を斜めに切り欠いた形状とし、」と訂正した。
２．特許請求の範囲に「濾過装置収容室（７）に着脱できる程度に設定した」とあるのを「濾過装置収容室（７）内に着脱できる程度に設定し、前記第２フィルター（７１１）は筒状の枠体（７１１ｂ）の内部にスクリーン（７１１ｃ）を装着して前記枠体（７１１ｂ）の外面とスクリーン（７１１ｃ）の外面との間に段差（７１１ｅ）が設けられた」と訂正した。
３．【０００９】に「『ラック（４）を、その前面側下部を切り欠いた形状とし、この切り欠かれたラック（４）の部分と洗浄室（２）の開口周縁部との間隔を濾過装置（７０）の深さ方向長さより大きくし、洗浄室（２）内にラック（４）を収容した状態で濾過装置（７０）が濾過装置収容室（７）内に着脱できる程度に設定した』ことである。」とあるのを、「『ラック（４）を、その前面側下部を斜めに切り欠いた形状とし、この切り欠かれたラック（４）の部分と洗浄室（２）の開口周縁部との間隔を濾過装置（７０）の深さ方向長さより大きくし、洗浄室（２）内にラック（４）を収容した状態で濾過装置（７０）が濾過装置収容室（７）内に着脱できる程度に設定し、前記第２フィルター（７１１）は筒状の枠体（７１１ｂ）の内部にスクリーン（７１１ｃ）を装着して前記枠体（７１１ｂ）の外面とスクリーン（７１１ｃ）の外面との間に段差（７１１ｅ）が設けられた』ことである。」と訂正した。
４．【００１１】に「清掃作業がし易くなる。」とあるのを、「清掃作業がし易くなる。
第２フィルター（７１１）に捕集された残津はスクリーン（７１１ｃ）の外面全域に付着しているが、枠体（７１１ｂ）とスクリーン（７１１ｃ）との間には段差（７１１ｅ）が設けられていることから、該残滓は、前記段差（７１１ｅ）の部分に入り込んだ態様でスクリーン（７１１ｃ）面に付着するととなり、第２フィルター（７１１）を第１フィルター（７１０）から取り外す際に、該残津が第１フィルター（７１０）の開部（７１０ｃ）周縁部に削ぎ落とされる不都合は生じない。」と訂正した。
５．図１を別紙の１図に訂正した（Ｒの指示位置を訂正した。）。
（５４）【発明の名称】
食器洗浄機
（５７）【特許請求の範囲】
　【請求項１】　前方開放の洗浄室（２）の底部に設けた貯留部（２３）と、該貯留部（２３）の下方に連設された濾過装置収容室（７）内に収容され、底壁に開部（７１０ｃ）が設けられた比較的扁平な第１フィルター（７１０）と前記開部（７１０ｃ）に挿入し得る外径を有し、且つ前記開部（７１０ｃ）の周縁部に上方から係合する係合片（７１１ｄ）を具備する筒状の第２フィルター（７１１）とを含む濾過装置（７０）と、上記貯留部（２３）の上方における洗浄室（２）内に収容されたラック（４）とを具備させ、上記貯留部（２３）内に貯留させた洗浄水を濾過装置収容室（７）内の濾過装置（７０）を通過させてラック（４）内の被洗浄物に噴出させた後、貯留部（２３）に帰還させる形式の食器洗浄機において、ラック（４）を、その前面側下部を
斜めに
前記第２フィルター（７１１）は筒状の枠体（７１１ｂ）の内部にスクリーン（７１１ｃ）を装着して前記枠体（７１１ｂ）の外面とスクリーン（７１１ｃ）の外面との間に段差（７１１ｅ）が設けられた
【発明の詳細な説明】
　【０００１】
　　【産業上の利用分野】
　本発明は、洗浄室内に所定量の洗浄水を貯留してこの貯留洗浄水を被洗浄物に噴射する形式の食器洗浄機に関するものである。
　【０００２】
　　【従来技術及びその課題】
　前記形式の食器洗浄機として、図７に示すように、ケーシング（１）内に、前方開放の洗浄室（２）を形成し、この前方開放部を扉（３）によって閉塞したものがあり、このものは、前記洗浄室（２）の底部に洗浄水貯留用の一定深さの貯留部（２３）を形成すると共に、洗浄水濾過用の濾過装置（７０）を収容する濾過装置収容室（７）を前記貯留部（２３）の底部からその下方に向けて突出させ、前記濾過装置収容室（７）の側胴部と洗浄水噴出用のノズルアーム（６）の入口端とを洗浄ポンプ（６２）を介して連通接続させた構成である。そして、前記洗浄室（２）の側壁には、この内部に洗浄水を供給するための給水回路が接続されている。又、前記濾過装置収容室（７）の底壁には、排水口（７ａ）が開口しており、該排水口（７ａ）に貯留洗浄水を外部に排出するための排水回路を接続している。更に、前記洗浄室（２）内には、食器類（Ｍ）を蔵置するためのラック（４）が出し入れ自在に収容されている。
　【０００３】
　前記濾過装置（７０）は、図８及び図９に示すように、内外二つのフィルター（７２）（７１）を有する二重構造に構成されている。一方の外側フィルター（７１）は、矩形皿状に形成された第１フィルター（７１０）とこれの底壁から突出させた筒状の第２フィルター（７１１）とを一体的に結合させて構成している。他方の内側フィルター（７２）は有底筒状に形成されており、前記第２フィルター（７１１）の内部に収容されている。
　【０００４】
　上記ラック（４）は、矩形籠状に形成されており、その下端側部から突出させた支持ローラ（４０）（４０）が洗浄室（２）の側壁に添設した支持レール（５）によって支持されている。
　このものでは、食器類（Ｍ）の入ったラック（４）を洗浄室（２）内に収容し、扉（３）を閉じた状態で洗浄機を運転状態にすると、給水回路から貯留部（２３）内に洗浄水が貯留される。すると、この貯留洗浄水は、洗浄ポンプ（６２）に吸引され、濾過装置（７０）を介してノズルアーム（６）に設けられた多数のノズルから食器類（Ｍ）に噴出される。そして、この噴出された洗浄水は、前記食器類（Ｍ）を洗浄しこれに付着した残滓を洗い流して該残滓と共に貯留部（２３）内に帰還する。その後、比較的大きな残滓は濾過装置（７０）の中央部に集められて内側フィルター（７２）に補集され、以後この洗浄工程が繰り返される。即ち、この洗浄機では、内外二つのフィルター（７２）（７１）から成る濾過装置（７０）に洗浄水を通過させることにより、残滓を取り除いて、洗浄水を循環使用するのである。
　【０００５】
　前記洗浄工程が終了すると、貯留部（２３）内の汚れた洗浄水が濾過装置（７０）を介して排水回路から外部に排出され、これにより上記と同様の残滓の捕集が行われる。
　このものでは、洗浄時に貯留洗浄水を循環使用することから洗浄水の使用量が少なくて済むと共に、排水の際に残滓が洗浄水と共に外部に排出されることはない。
　【０００６】
　しかしながら、この洗浄機では、濾過装置（７０）を清掃すべくこれをその装着部から取り除く作業が煩雑化するという問題があった。
　一般的に、ラック（４）は、食器類（Ｍ）の収容能力を高めるために、可能な限り大きく形成されており、ラック（４）の前側下縁とこれに対応する洗浄室（２）の開口周縁部との間には、あまり間隔が存在しない。従って、ラック（４）を洗浄室（２）内に収容した状態では、該ラック（４）が障害となって濾過装置（７０）を取り外すことができず、そのため濾過装置（７０）を清掃するには、ラック（４）を洗浄室外に移動させる別の作業が必要となる。このことから、濾過装置（７０）の清掃が煩雑化するのである。
　【０００７】
　本発明は、このような、『前方開放の洗浄室（２）の底部に設けた貯留部（２３）と、該貯留部（２３）の下方に連設された濾過装置収容室（７）内に収容され、底壁に開部（７１０ｃ）が設けられた比較的扁平な第１フィルター（７１０）と前記開部（７１０ｃ）に挿入し得る外径を有し、且つ前記開部（７１０ｃ）の周縁部に上方から係合する係合片（７１１ｄ）を具備する筒状の第２フィルター（７１１）とを含む濾過装置（７０）と、上記貯留部（２３）の上方における洗浄室（２）内に収容されたラック（４）とを具備させ、上記貯留部（２３）内に貯留させた洗浄水を濾過装置収容室（７）内の濾過装置（７０）を通過させてラック（４）内の被洗浄物に噴出させた後、貯留部（２３）に帰還させる形式の食器洗浄機』において、濾過装置（７０）の清掃作業を容易にできるようにすることをその課題とする。
　【０００８】
　【０００９】
　　【技術的手段】
　上記課題を解決するために講じた本発明の技術的手段は、『ラック（４）を、その前面測下部を
斜めに
前記第２フィルター（７１１）は筒状の枠体（７１１ｂ）の内部にスクリーン（７１１ｃ）を装着して前記枠体（７１１ｂ）の外面とスクリーン（７１１ｃ）の外面との間に段差（７１１ｅ）が設けられた
　【００１０】
　　【作用】
　本発明の上記技術的手段は、次のように作用する。
　ラック（４）の前面側下部の切欠部とこれに対応する洗浄室（２）の壁面との間には、上記濾過装置（７０）をその装着姿勢をほぼ保った状態で出し入れできる間隔が形成されている。このことから、洗浄室（２）内にラック（４）を収容した状態で、濾過装置（７０）をほぼその装着姿勢で前記間隔に通過させ洗浄室（２）の前方開放部から取り出すことができる。
　【００１１】
　　【効果】
　本発明は、上記構成であるから、次の特有の効果を有する。
　ラック（４）を洗浄室（２）内に収容した状態で濾過装置（７０）の着脱がその装着姿勢をほぼ保った状態で可能となるから、該濾過装置（７０）の取り外しが極めて容易となる。そして清掃に際して、ラック（４）を洗浄室外へ移動させる作業が不要となり、該濾過装置（７０）の清掃作業がし易くなる。
　
第２フィルター（７１１）に捕集された残滓はスクリーン（７１１ｃ）の外面全域に付着しているが、枠体（７１１ｂ）とスクリーン（７１１ｃ）との間には段差（７１１ｅ）が設けられていることから、該残滓は、前記段差（７１１ｅ）の部分に入り込んだ態様でスクリーン（７１１ｃ）面に付着するととなり、第２フィルター（７１１）を第１フィルター（７１０）から取り外す際に、該残滓が第１フィルター（７１０）の開部（７１０ｃ）周縁部に削ぎ落とされる不都合は生じない。
　【００１２】
　【００１３】
　【００１４】
　【００１５】
　　【実施例】
　次に、上記した本発明の実施例を図面に従って詳述する。
　図１〜図６に示す実施例は、ケーシング（１）内に前方に開放する洗浄室（２）を形成し、この前方開放部を上下に開閉する扉（３）によって閉塞したものである。このものは、前記洗浄室（２）内の上下に、ラック（４）（４）が収容されており、これらラック（４）（４）の下方には洗浄水を噴出するノズルアーム（６）（６）が各別に配設されている。又、洗浄室（２）の後方空間に乾燥用空気を供給する給気装置（８）が設けられている共に、洗浄室（２）の底部の下方の空間に、濾過装置（７０）を収容した濾過装置収容室（７）を介して、洗浄水を吸引する洗浄ポンプ（６２）や洗浄後の汚れた洗浄水を排水するための排水ポンプ（７５）等が配設されている。
　【００１６】
　以下、前記各部について詳述する。
　洗浄室（２）は、図１に示すように、前方開放の略正方形横断面の箱体に構成されている。そして、この開放端の下辺は洗浄室（２）の底壁（２１）よりも所定の高さだけ高く設定されており、これにより洗浄室（２）の底部には一定深さの洗浄水貯留用の貯留部（２３）が形成される。洗浄室（２）の中央上方と中央下方には、多数の洗浄水噴出用のノズルを具備させたノズルアーム（６）（６）が配設されており、下方のノズルアーム（６）は洗浄室（２）の底壁（２１）から突出させた支持体（Ｐ）によって回動自在に支持され、上方のノズルアーム（６）は洗浄室（２）の後壁（２７）から突出させた支持腕（６１）に配設した支持体（Ｐ）によって回動自在に支持され、何れもそのノズル配設部が上方を向く姿勢に設定されている。
　【００１７】
　これらノズルアーム（６）（６）はその長さが上記洗浄室（２）の横幅および奥行よりもわずかに小さく設定され、その回転軸を含めて全体が中空状に構成されている。そして、底壁（２１）を貫通して突出する洗浄ポンプ（６２）の吐出口が下方のノズルアーム（６）に接続され、この接続部に接続した連絡回路（６０）を介して上方のノズルアーム（６）と前記洗浄ポンプ（６２）の吐出口とが連通接続されている。これにより、洗浄ポンプ（６２）から前記経路でノズルアーム（６）（６）に供給される洗浄水がその上面に配列した多数のノズルから噴出され、各ノズルアーム（６）（６）は、この噴出力の反力によって旋回駆動される。
　【００１８】
　食器類（Ｍ）を収容するためのラック（４）（４）は、上記各ノズルアーム（６）（６）の上方に出し入れ自在に配備されており、何れも樹脂系塗装が施された金属線材で形成されている。
　上方のラック（４）は、矩形籠状に形成されており、洗浄室（２）の両側壁に添設したレール（５）に引き出し自在に支持されている。
　【００１９】
　このため、該ラック（４）の下端側壁からは、支持ローラ（４０）（４０）が外側に突出しこれらが前記レール（５）に移動自在に載置されている。
　下方のラック（４）は、図１に示すように、上方のラック（４）と同様に全体形状が矩形籠状に形成されているが、切欠部（Ｒ）を具備している。即ち、該ラック（４）の前面から下面にかけて斜め方向に切り欠かれた態様（本実施例では、当該切欠きの大きさは、高さ方向の寸法が６ｃｍ、奥行き寸法が７．５ｃｍに設定されている。）となっているのである。そして、このラック（４）の下端側壁からは、支持ローラ（４０）（４０）が外側に突出し、これら支持ローラ（４０）（４０）がノズルアーム（６）の上方近傍の洗浄室（２）の側壁に添設した支持レール（５）よって支持されており、これにより該ラック（４）は下方のノズルアーム（６）の上方近傍に引き出し自在に配置される。尚、上記切欠部（Ｒ）の切欠度合いは、このラック（４）を洗浄室（２）内に収容した状態にて、濾過装置（７０）を着脱自在にできる程度に設定されている。即ち、ラック（４）と洗浄室（２）の開口周縁部との間隔（Ｘ）は、後述する濾過装置（７０）の上下高さ（Ｙ）及び前後幅（Ｚ）より大きくなるように設定されている（図３及び図４参照）。そして、本実施例では、前記間隔（Ｘ）を１２ｃｍに、高さ（Ｙ）及び前後幅（Ｚ）を１０ｃｍに設定している。又、開放した扉（３）がラック（４）に最も接近する部分（扉（３）の下端コーナ部）と該ラック（４）との距離は１１ｃｍに設定されている。
　【００２０】
　上記濾過装置収容室（７）は洗浄室（２）の底壁（２１）を下方に深く窪ませて形成されており、その上端周縁部に上記濾過装置（７０）が配置される。そして、濾過装置収容室（７）の側胴部と上記洗浄ポンプ（６２）の吸引口とは連通接続されている。従って、ノズルアーム（６）（６）から吐出される洗浄水は前記濾過装置（７０）によって濾過されたものとなる。又、前記濾過装置収容室（７）の底部には排水口（７ａ）が形成され排水ポンプ（７５）の吸引口に連通接続されている。そして、排水ポンプ（７５）の吐出□に接続された排水パイプ（７４）はケーシング（１）の後板（１ｂ）から外部に引き出されている。従って、洗浄完了後に排水ポンプ（７５）を動作させることにより貯留部（２３）内の貯留洗浄水が濾過装置（７０）で濾過されて外部に排出されることとなる。
　【００２１】
　上記濾過装置（７０）は、図２〜図４に示すように、第１フィルター（７１０）及びその底壁開部（７１０ｃ）に配置される第２フィルター（７１１）から成る外側フィルター（７１）と、前記第２フィルター（７Ｈ）の上端周縁部に配置され且つ該第２フィルター（７１１）の内部に収容される内側フィルター（７２）とから構成されており、前記各フィルター（７１０）（７１１）（７２）には、それぞれ把手（７１０ａ）（７１１ａ）（７２ａ）を具備させている。このものは、濾過装置収容室（７）の上端開口の周縁に、第１フィルター（７１０）の枠体（７１０ｄ）が係合配置されるようになっており、前記各フィルター（７１０）（７１１）（７２）を濾過装置収容室（７）に収容した状態では、前記第２フィルター（７１１）の下端が、上記排水口（７ａ）を包囲する態様で濾過装置収容室（７）の底壁上面に対接するようになっている。尚、濾過装置収容室（７）底壁には、排水口（７ａ）の周囲に、第２フィルター（７１１〕の下端を位置決めするための環状の直立片（７ｂ）を突出させている。
　【００２２】
　前記第１フィルター（７１０）は、上向きに拡大する扁平な皿状体で構成されている。そして、該第１フィルター（７１０）は、直径１．２ｍｍ程度の透孔（７１０ｂ）（７１０ｂ）が多数穿設されたステンレス製のパンチングプレートで形成されており、その底壁中央部には第２フィルター（７１１）を挿入するための開部（７１０ｃ）が設けられていると共に、その上端外周縁部にはポリプロピレン樹脂製の枠体（７１０ｄ）が装着されている。
　前記第２フィルター（７１１）は、ポリプロピレン樹脂製の筒状の枠体（７１１ｂ）の内部に、直径０．２ｍｍ程度の小孔が無数に穿設されたステンレス製のスクリーン（７１１ｃ）を装着した構成であり、前記枠体（７１１ｂ）の上端外周には、上記第１フィルター（７１０）の開部（７１０ｃ）の周縁部に係合する係合片（７１１ｄ）が周設されている。尚、前記枠体（７１１ｂ）の外面とスクリーン（７１１ｃ）の外面には、段差（７１１ｅ）が設けられている（図５参照、）。
　【００２４】
　前記内側フィルター（７２）は、ポリプロピレン樹脂製の有底筒で構成されており、その側壁には上下方向に走行する長孔が多数穿設されていると共に、底壁には直径２．５ｍｍ程度の小孔が多数穿設されている。そして、内側フィルター（７２）の上端外周には、上記第２フィルター（７１１）の枠体（７１１ｂ）の上端周縁部に係合する係合片（７２ｂ）が周設されている。
　【００２５】
　この実施例では、洗浄水が貯留部（２３）内に貯留され、この貯留洗浄水が上下のノズルアーム（６）（６）から噴出されて、洗浄動作が実行される。このため、洗浄室（２）の後壁（２７）上部には、図１に示すように、給水管（２５）の下流端の給水口（２ａ）が開口し、前記給水管（２５）を介して供給される洗浄水が前記給水口（２ａ）から貯留部（２３）内に供給される。
　【００２６】
　この給水制御のため、図６に示すように、貯留部（２３）内の水位を検知する水位センサ（７８）が濾過装置収容室（７）に連通して設けられると共に、これの出力が給水制御装置（Ｃ１）に印加され、これからの出力が給水管（２５）内に挿入された開閉弁（２２）に入力されている。従って、始動操作によって前記開閉弁（２２）が開弁されて給水口（２ａ）から貯留部（２３）に給水され、この貯留部（２３）内の水位が設定値になった時点で、給水制御装置（Ｃ１）の出力により開閉弁（２２）が閉弁されて所定量の洗浄水が自動供給される。
　【００２７】
　食器洗浄の際には、洗浄室（２）の貯留部（２３）内に貯留された上記洗浄水は洗浄ポンプ（６２）によって上下のノズルアーム（６）（６）からこれらの上方のラック（４）（４）に向けて噴出された後、貯留部（２３）内に帰還するが、このとき、洗浄水の温度が制御されて、洗浄効率を高めるようにしている。
　そこで、この洗浄水の温度を所定の温度に維持するために、洗浄室（２）の底壁（２１）の表面にヒータ（２０）が添設されると共に、この底壁（２１）の裏面に温度検知センサ（Ｓ）が設けられている。そして、温度検知センサ（Ｓ）の検知温度が温度制御装置（Ｃ２）に入力され、これからの出力によって前記ヒータ（２０）が制御されており、これにより、貯留部（２３）内の温度が洗浄動作の進行度合いに適合した温度に管理される。
　【００２８】
　洗浄工程の終了後に乾燥工程が実行されるが、この乾燥の為に、洗浄室（２）の壁面とケーシング（１）の壁面との間には、給気装置（８）が配設されると共に排気装置が内蔵されている。
　前記給気装置（８）は、ケーシング（１）の前面上端部に設けた給気口（１０）から洗浄室（２）を構成する後壁（２７）下部の開口（８１）に至る逆Ｌ字状の給気通路（８３）内に給気ファン（８０）を内蔵した構成であり、この給気装置（８）によって供給される空気の温度がヒータ（２０）により所定の温度に設定される。
　【００２９】
　他方の排気装置は、ケーシング（１）の前面上端部に設けた排出口（３６）と洗浄室（２）を構成する天井壁（２６）の中央部に形成した流入口（３５）とが排気通路（３４）によって連通接続された構成である。
　上記実施例の食器乾燥機では、制御装置（Ｃ）によって各部の動作が所定のタイミングで実行されるようになっており、ラック（４）（４）内に食器を収容してこのラック（４）（４）を洗浄室（２）内に挿入し、この状態で始動スイッチを操作すると、給水スイッチがＯＮとなって、前記制御装置（Ｃ）に含まれる給水制御装置（Ｃ１）によって給水管（２５）から所定量の洗浄水が貯留部（２３）内に貯留され、給水動作が自動的に停止される。その後、洗浄動作信号が制御装置（Ｃ）から出力され、前記貯留洗浄水が洗浄ポンプ（６２）に吸引されて濾過装置（７０）を通過し、ノズルアーム（６）（６）に圧送されて、そのノズルからの噴出洗浄水によって洗浄動作が実行される。このとき、食器から洗浄された残津は第１・第２フィルター（７１０）（７１１）や内側フィルター（７２）で捕集されるが、比較的大きな残滓は内側フィルター（７２）に具備させた孔部の径の関係から該内側フィルター（７２）にて捕集される。又、この洗浄時には、前記制御装置（Ｃ）に含まれる温度制御装置（Ｃ２）によって貯留部（２３）内の洗浄水の温度が所定の温度に維持される。
　【００３０】
　前記洗浄動作が完了すると、制御装置（Ｃ）の出力により排水ポンプ（７５）が作動して貯留部（２３）内の貯留水が濾過装置（７０）を介して排水パイプ（７４）から排出されて、濾過装置（７０）による残滓の捕集が行われる。このとき、第２フィルター（７１１）は、その下端が排水口（７ａ）を包囲する態様で濾過装置収容室（７）の底壁に対接していることから、前記貯留水は、該第２フィルター（７１１）のスクリーン（７１１ｃ）の外面全域からその内部に進入して前記排水口（７ａ）へと流出する。これにより、第１フィルター（７１０）の透孔（７１０ｂ）（７１０ｂ）を通過した残滓は、第２フィルター（７１１）にて最終的に捕集されるが、スクリーン（７１１ｃ）に具備させた小孔の径の関係から、比較的小さな残滓がこれに捕集されることとなり、該残滓は、スクリーン（７１１ｃ）の外面全域に付着する。
　【００３１】
　その後、仕上げ工程、乾燥工程が実行されて、給気装置（８）によって空気が洗浄室（２）内に供給され、排気装置から外部に排出される。この乾燥工程は所定時間継続されて終了する。
　上記した工程が終了した後、濾過装置（７０）に捕集された残滓を取り除く際には、扉（３）を開いて、第２フィルター（７１１）の把手（７１１ａ）を持ちあげて、該第２フィルター（７１１）を内側フィルター（７２）と共に取り外し、その後第１フィルター（７１０）を取り外してこれら各フィルター（７１０）（７１１）（７２）を清掃すれば良い。このとき、下方のラック（４）は切欠部（Ｒ）を具備しており、この切欠部（Ｒ）は、該ラック（４）と洗浄室（２）の開口周縁部との間隔（Ｘ）が濾過装置（７０）の上下局さ（Ｙ）及び前後幅（Ｚ）より大きくなるように形成されていることから、該ラック（４）を洗浄室（２）内に収納した状態で、内側フィルター（７２）を装備させた第２フィルター（７１１）や第１フィルター（７１０）が容易に取り外せる。このとき、上記したように、第２フィルター（７１１）に捕集された残滓はスクリーン（７１１ｃ）の外面全域に付着しているが、枠体（７１１ｂ）とスクリーン（７１１ｃ）との間には段差（７１１ｅ）が設けられていることから、該残滓津は、前記段差（７１１ｅ）の部分に入り込んだ態様でスクリーン（７１１ｃ）面に付着するととなり、第２フィルター（７１１）を第１フィルター（７１０）から取り外す際に、該残滓が第１フィルター（７１０）の開部（７１０ｃ）周縁部に削ぎ落とされる不都合は生じない。又、このものでは、上記各フィルター（７１０）（７１１）（７２）を一体として取り外せるように上記切欠部（Ｒ）が大きく形成されており、第１フィルター（７１０）の把手（７１０ａ）を持ち上げ、各フィルター（７１０）（７１１）（７２）全体を同時に取り外して清掃することも可能である。
　【００３２】
　尚、上記実施例では、内側フィルター（７２）は、第２フィルター（７１１）に取り外し自在に設ける構成としたが、該第２フィルター（７１１）と一体的に形成する構成としても良い。
【図面の簡単な説明】
　　【図１】
　本発明実施例の説明図
　　【図２】
　これの濾過装置の分解側面図
　　【図３】
　これの平面図
　　【図４】
　濾過装置収容室（７）に濾過装置を収容した状態の断面図
　　【図５】
　第２フィルター（７１１）の詳細図
　　【図６】
　制御装置（Ｃ）の説明図
　　【図７】
　従来例の説明図
　　【図８】
　これの濾過装置の断面図
　　【図９】
　これの平面図
　　【符号の説明】
　　　　　　　　　（２）　　　・・・洗浄室
　　　　　　　　　（２３）　　・・・貯留部
　　　　　　　　　（４）　　　・・・ラック
　　　　　　　　　（７）　　　・・・濾過装置収容室
　　　　　　　　　（７０）　　・・・濾過装置
　　　　　　　　　（７１０）　・・・第１フィルター
　　　　　　　　　（７１０ｃ）・・・開部
　　　　　　　　　（７１１）　・・・第２フィルター
　　　　　　　　　（７１１ｄ）・・・係合片
　　　　　　　　　（７２）　　・・・内側フィルター
【図面】